(57)【特許請求の範囲】
【請求項１】
導電性樹脂材料でなり、先端部から毛包に挿入される毛包挿入部と、
導電性樹脂材料でなり、上記毛包挿入部の上記先端部から根元側方向に続く根元側端部の外周面に連接し、上記根元側方向に行くに従って外径が太くなるように傾斜する段差部と、
上記段差部の上記毛包挿入部との境界位置において、上記毛包挿入部の周囲に流れるように液剤を排出することにより、当該液剤を上記毛包ないし毛根部の間に溜まった状態にする液剤案内口と
を具える毛包挿入用プローブ。
【請求項２】
上記毛包挿入部から上記毛包ないし毛根部の間に溜った上記液剤に直流電流でなるイオン浸透電流を流すことにより、上記液剤の有効成分を毛根部組織に浸透させる
請求項１に記載の毛包挿入用プローブ
【発明の詳細な説明】
【技術分野】
【０００１】
本発明は毛包挿入用プローブに関し、特に毛根組織の育毛機能を調整する場合に適用して好適なものである。
【背景技術】
【０００２】
従来、美容脱毛の分野においては、美容の観点からむだ毛を脱毛する目的で、毛包内に美容脱毛用プローブ（ニードルとも呼ばれている）を挿入し、これを電極として毛包内に高周波電流及び又は直流電流を流すことにより毛根組織の内部において熱エネルギーに変換して毛根組織に蛋白質の熱凝固作用を生じさせ、及び又は毛包内にあるＮａＣｌを電気分解することによりＮａＯＨを生成してその強アルカリ作用により毛根組織（毛乳頭）を破壊するようにした美容電気脱毛技術が用いられている（特許文献１参照）。
【特許文献１】特開平６−７２１８号公報
【発明の開示】
【発明が解決しようとする課題】
【０００３】
本来、発毛抑制剤や育毛剤は一般的にローションタイプになっており、発毛抑制剤は毛の発毛を抑制したい腕や脚等に塗布し、また育毛剤は頭皮に振りかけてその有効成分を毛根組織に浸透させることにより効果を促すというものである。しかし、皮膚や頭皮表面にある皮脂（油分）がその浸透を妨害し、液剤がもっている効果が十分に発揮されていないのが現状である。
【０００４】
ところで、この美容脱毛用プローブの技術は、毛根組織を電気的作用により破壊に至らしめる条件を備えるために、毛包挿入型の美容脱毛用プローブを用いているが、その特徴を利用して毛根組織（毛乳頭）に対して育毛機能を活性化させるような育毛剤を供給したり、発毛を抑制する発毛抑制剤や脱毛剤を毛包内に注入し、又は毛根組織に付着させることができれば、むだ毛を排除するばかりでなく、例えば頭髪の養毛や、育毛や、脱毛にも適用することもできると考えられる。
【０００５】
本発明は以上の点を考慮してなされたもので、液剤を毛包内に注入し、又は毛根組織に直接付着させることによって、毛根組織に液剤をより吸収し易いように供給することができるようにした毛包挿入用プローブを提案しようとするものである。
【課題を解決するための手段】
【０００６】
かかる課題を解決するため本発明においては、導電性樹脂材料でなり、先端部から毛包１５に挿入される毛包挿入部２１Ｂと、導電性樹脂材料でなり、毛包挿入部２１Ｂの先端部２１Ｂ１から根元側方向に続く根元側端部の外周面に連接し、根元側方向に行くに従って外径が太くなるように傾斜する段差部２１Ｃと、段差部２１Ｃの毛包挿入部２１Ｂとの境界位置において、毛包挿入部２１Ｂの周囲に流れるように液剤を排出することにより、当該液剤を毛包１５ないし毛根部１７の間に溜った状態にする液剤案内口２６Ａ、２６Ｂとを設ける。
【発明の効果】
【０００９】
本発明によれば、毛包挿入部の根元側端部に設けた段差部の毛包挿入部との境界位置において、毛包挿入部の周囲に液剤が流れるように液剤案内口から液剤を排出して、当該液剤を毛包ないし毛根部間に溜った状態にするようにしたことにより、液剤の有効成分が浸透され易い状態で多数存在することから、毛根組織の育毛効果又は発毛抑制効果や、脱毛効果を必要に応じて調整できる。
【発明を実施するための最良の形態】
【００１０】
以下図面について、発明の一実施の形態を詳述する。
【００１１】
（１）全体構成
図１において、１は全体として育毛機能調整装置を示し、装置本体部２にイオン浸透用電源３が設けられている。
【００１２】
イオン浸透用電源３は、一方の電源出力ラインＳ１を外部接続端子２Ａを介して被施術者が手に握る対極導子４に接続されると共に、イオン浸透用電源３の他方の電源出力ラインＳ２が外部接続端子２Ｂの電気コネクタ部を介して施術者が手に持つプローブホルダ５にケーブル６を介して接続されている。
【００１３】
装置本体部２にはコンプレッサ７が設けられ、その圧縮空気が外部接続端子２Ｂの空気コネクタ部を通り、当該空気コネクタ部に接続された圧縮空気パイプ８を介して液剤タンク９に供給される。
【００１４】
液剤タンク９は圧縮空気パイプ８から供給された圧縮空気によってプローブホルダ５に接続された液剤パイプ１０に液剤（育毛効果又は発毛効果や、脱毛効果を生起させるような薬品、化粧品、医療部外品でなる）を送り出す。
【００１５】
施術者はプローブホルダ５の先端に装着されている毛包挿入用プローブ１１を被施術者の毛穴から毛包１５（図２）内に１本ずつ挿入した状態で、その都度作動スイツチ１２を操作することにより、中央処理ユニット（ＣＰＵ）１３に動作指令を与えたとき、コンプレッサ７を駆動して液剤パイプ１０を介して液剤タンク９の液剤を毛包挿入用プローブ１１に供給すると共に、イオン浸透用電源３の電源出力をケーブル６を介して毛包挿入用プローブ１１に与えることにより、毛包挿入用プローブ１１から対極導子４に向ってイオン浸透電流を流すことができるようになされている。
【００１６】
この状態のとき、毛包挿入用プローブ１１は、図２に示すように、毛包１５に、その毛穴から毛１６に沿うように挿入されて、先端が毛根部１７の位置に位置決めされた状態にあり、かくして毛包１５に供給された液剤を通して毛根部１７の毛根組織（毛乳頭）に直流電流が流れることにより、液剤の有効成分がイオン浸透療法により毛根部１７に浸透吸収される。
【００１７】
かくして、毛包挿入用プローブ１１によって毛根部１７に供給された液剤の有効成分をイオン浸透療法により毛根部１７に容易に浸透吸収させることができることにより、育毛効果又は発毛抑制効果や、脱毛効果を必要に応じて調整できる。
【００１８】
（２）第１の実施の形態
図３において、２１は本発明による第１の実施の形態の毛包挿入用プローブで、図１の毛包挿入用プローブ１１として用いられる。
【００１９】
毛包挿入用プローブ２１は全体として断面外径形状が円形の導電性樹脂材料で構成され、根元側に太い直径の装着部２１Ａを有すると共に、その先端部に細い直径の毛包挿入部２１Ｂが形成されている。
【００２０】
毛包挿入部２１Ｂの先端部２１Ｂ１は、図４に示すように、丸みを帯びた外径形状を有すると共に、図５に示すように、液剤案内孔２２と連通する液剤排出口２１Ｂ２が設けられている。
【００２１】
かくして、毛包挿入用プローブ２１の毛包挿入部２１Ｂは、先端が毛穴に位置合わせされた後毛包１５内に挿入されたとき、先端部の刺通抵抗が大きいため、毛包の壁面を刺通することなく、先端部２１Ｂ１が毛根部１７（図２）の位置に滑らかに挿入される。
【００２２】
ここで刺通抵抗の規格は、注射針について、ＪＩＳ  Ｔ  ３１０１注射針基準によって切れ味が決められており、皮下注射用注射針は図６に示すような形状によって刺通抵抗の規格値が１５〔ｇｆ〕以下に規定されている。また歯科局所麻酔用注射針は、図７に示すような形状によって刺通抵抗が２０〔ｇｆ〕以下に規定されている。
【００２３】
実験によれば、図３に示す毛包挿入用プローブ２１（各部の寸法〔ｍｍ〕を図3 に示す）の刺通抵抗は歯科局所麻酔用注射針のほぼ２倍程度、すなわち４０〔ｇｆ〕程度の適正な値であることを確認できた。
【００２４】
図３の毛包挿入用プローブ２１は、装着部２１Ａの根元側端部にルアーロックコネクタ２３を有し、このルアーロックコネクタ２３によって図８に示すようにしてプローブホルダ５に装着される。
【００２５】
プローブホルダ５は、図８（Ａ）に示すように、ケーブル６及び液剤パイプ１０に接続された本体部５Ａと、キャップ部５Ｂとでなり、キャップ部５Ｂは、図８（Ｂ）において矢印ａで示すように、本体部５Ａの外側にスライドできるようになされ、キャップ部５Ｂが十分に根元側にスライドされたとき、図８（Ｃ）に示すように、本体部５Ａの先端に設けられた連結口５Ｃがキャップ５Ｂの先端側に露出するようになされている。
【００２６】
毛包挿入用プローブ２１のルアーロックコネクタ２３は、図８（Ｄ）に示すように、連結口５Ｃにねじ込むことにより、毛包挿入プローブ２１を固定すると共に、毛包挿入部２１Ｂの先端の液剤排出口２１Ｂ２に液剤パイプ１０から供給される液剤を排出できる状態になる。
【００２７】
この状態において、図８（Ｅ）の矢印ｂのように、キャップ部５Ｂを元の位置に引き戻してルアーロックコネクタ２３をカバーするような状態にすれば、施術者がキャップ部５Ｂを握って毛包挿入用プローブ２１の毛包挿入部２１Ｂを毛包１５に挿入する操作（図２）をすることができる。
【００２８】
以上の構成において、プローブホルダ５に装着した毛包挿入用プローブ２１を毛包１５に挿入した状態で作動スイッチ１２（図１）を操作すれば、液剤タンク９から供給される液剤が毛包挿入部２１Ｂの液剤排出口２１Ｂ２（図５）から毛包１５ないし毛根部１７の周囲に供給されると共に、毛包挿入部２１Ｂから供給されるイオン浸透電流（０．１〔ｍＡ〕以下）によって当該液剤の有効成分を浸透吸収させることができる。
【００２９】
当該イオン化された液剤の有効成分は毛根部１７の毛根組織（毛乳頭）に浸透吸収され易い状態になっており、かくして毛根組織の育毛効果又は発毛抑制効果や、脱毛効果を必要に応じて調整できることになる。
【００３０】
以上の構成によれば、毛包挿入用プローブ２１を導電性樹脂材料によって構成したことにより、毛包挿入部２１Ｂを毛包１５に挿入した際に、金属アレルギーを誘起するおそれがないので安全な施術ができる。
【００３１】
また、毛包挿入部２１Ｂは導電性樹脂材料特有の柔軟なしなりを呈するので、毛包挿入部２１Ｂの先端部２１Ｂ１が丸みを帯びていることと相まって、毛包挿入部２１Ｂの毛包１５への挿入を滑らかになし得る。
【００３２】
さらに、毛包挿入部２１Ｂの先端部２１Ｂ１が丸味を帯びていることにより、毛穴に位置合わせをした際、位置が合っていない場合の不用意な皮膚に対する刺通を防止すると共に、毛包挿入部２１Ｂが毛包１５に挿入されたとき、その先端部２１Ｂ１が不用意に毛包１５の壁面を刺通して傷つける可能性を低減できる。
【００３３】
さらに、毛包挿入部２１Ｂを導電性樹脂材料で構成したことにより、通電抵抗（電気抵抗）を１０００〔Ω〕程度にすることができることにより、０．１〔ｍＡ〕以下のイオン浸透電流を得るために、必要とするイオン浸透用電源３の構成を十分小型化できる（携帯できる程度に小型化できる）。
【００３４】
（３）第２の実施の形態
図９は第２の実施の形態を示すもので、図３との対応部分に同一符号を付して示すように、毛包挿入用プローブ２１の内部に、断面円弧状の一対の液剤案内孔２５Ａ及び２５Ｂが設けられている。
【００３５】
この場合、装着部２１Ａの先端に設けられた毛包挿入部２１Ｂは、図１０に示すように、先端部２１Ｂ１が丸みを帯びていると共に、内部には、図３について上述した液剤案内孔２２のような液剤案内孔が設けられていない。
【００３６】
この場合、毛包挿入部２１Ｂ及び装着部２１Ａ間に、根元側に行くに従って次第に外径が太くなるように傾斜する段差部２１Ｃが設けられ、当該段差部２１Ｃと毛包挿入部２１Ｂとの境界位置に、図１１に示すように、液剤案内孔２５Ａ及び２５Ｂに連通する液剤排出口２６Ａ及び２６Ｂが形成されている。
【００３７】
以上の構成において、施術者が被施術者の毛包１５に毛包挿入部２１Ｂを挿入した状態で作動スイッチ１２（図１）を操作すれば、その都度液剤案内孔２５Ａ及び２５Ｂによって導入された液剤が毛包挿入部２１Ｂの根元側に設けられた液剤排出口２６Ａ及び２６Ｂから排出される。
【００３８】
当該排出された液剤は毛包挿入部２１Ｂの周囲を流れて毛包１５ないし毛根部１７の間に溜まった状態になり、その溜まった液剤の有効成分が、毛包挿入部２１Ｂから供給されるイオン浸透電流によって毛包１５ないし毛根部１７に浸透吸収される。
【００３９】
この結果、毛根部１７の周囲には、液剤の有効成分が浸透され易い状態で多数存在する状態になるから、毛根部１７の毛根組織の育毛効果又は発毛抑制効果や、脱毛効果を必要に応じて調整できる。
【００４０】
かくするにつき、毛包挿入用プローブ２１が導電性樹脂で構成されていることにより、金属アレルギーを誘発するおそれがなく、しかも毛包挿入部２１Ｂの先端が丸みを帯びていることにより、毛穴に位置が合っていない場合の不用意な皮膚に対する刺通を防止できると共に、不用意に毛包の壁面を刺通する可能性が小さい安全な毛包挿入用プローブ２１を挿入できる。
【００４１】
（４）第３の実施の形態
図１２は第３の実施の形態を示すもので、この場合、毛包挿入用プローブ３１には、図３及び図９において上述したような、内部を挿通する液剤案内孔は設けられていない。
【００４２】
毛包挿入用プローブ３１は全体として導電性樹脂で構成され、太い外径形状の断面円形の装着部３１Ａの先端に、細い直径の毛包挿入部３１Ｂが段差部３１Ｃの位置において連結された構成を有する。
【００４３】
毛包挿入部３１Ｂの先端部３１Ｂ１は、図１３に示すように、全体として丸みを帯びた外径形状を有すると共に、先端面から根元側に溝を形成するように穿設された液剤付着部３１Ｂ２が設けられている。
【００４４】
この場合プローブホルダ５（図１）には液剤タンク９からの液剤パイプ１０の接続はされておらず、毛包に供給すべき液剤は液剤付着部３１Ｂ２に付着される。
【００４５】
以上の構成において、プローブホルダ５を持った施術者は、液剤付着部３１Ｂ２に液剤を付着させた状態で被施術者の毛包１５に毛包挿入部３１Ｂを挿入する。
【００４６】
このとき毛包挿入部３１Ｂの先端は毛根部１７（図２）に届くような長さをもっていることにより、液剤付着部３１Ｂ２に付着された液剤は毛根部１７に直接供給される。
【００４７】
この状態において、施術者が作動スイッチ１２（図１）を操作すれば、その都度毛包挿入用プローブ３１を通ってイオン浸透電流が流れることにより、毛根部１７及びその周りに供給された液剤の有効成分が毛根部１７の毛根組織に浸透吸収され易い状態になる。
【００４８】
かくして図１２の構成によれば、毛包挿入用プローブ３１が導電性樹脂で構成されていることにより金属アレルギーを誘発するおそれを有効に回避できると共に、毛包挿入部３１Ｂがしなることにより先端が丸みを帯びていることと相まって毛包挿入部３１Ｂをスムースにかつ皮膚や毛包の内壁面を刺通する可能性が小さい状態で毛穴に挿入することができることにより、特に直接、毛根組織（毛乳頭）に、容易に、液剤付着部３１Ｂ２の液剤を供給することができる。
【００４９】
かくして毛根組織の育毛効果又は発毛抑制効果や、脱毛効果を必要に応じて調整させることができる。
【産業上の利用可能性】
【００５０】
本発明は、毛根組織の育毛効果又は発毛抑制効果や、脱毛効果を必要に応じて調整する目的に利用できる。
【図面の簡単な説明】
【００５１】
【図１】本発明による毛包挿入用プローブを用いた育毛機能調整装置を示す系統図である。
【図２】毛包挿入用プローブの挿入態様の説明に供する略線図である。
【図３】第１の実施の形態における毛包挿入用プローブを示す断面図である。
【図４】毛包挿入部の先端構造を示す拡大断面図である。
【図５】液剤排出口を示す拡大断面図である。
【図６】皮下注射用注射針の説明に供する略線図である。
【図７】歯科局部麻酔用注射針の説明に供する略線図である。
【図８】（Ａ）〜（Ｅ）は、プローブホルダへの毛包挿入用プローブの装着態様を示す側面図である。
【図９】第２の実施の形態による毛包挿入用プローブを示す断面図である。
【図１０】毛包挿入部の先端構造を示す拡大側面図である。
【図１１】液剤排出口を示す拡大正面図である。
【図１２】第３の実施の形態による毛包挿入用プローブを示す断面図である。
【図１３】毛包挿入部の先端構造を示す拡大断面図である。
【符号の説明】
【００５２】
１……育毛機能調整装置、２……装置本体部、３……イオン浸透用電源、４……対極導子、５……プローブホルダ、６……ケーブル、７……コンプレッサ、８……圧縮空気パイプ、９……液剤タンク、１０……液剤パイプ、１１……毛包挿入用プローブ、１２……作動スイッチ、１５……毛包、１６……毛、１７……毛根部、２１……毛包挿入用プローブ、２１Ａ……装着部、２１Ｂ……毛包挿入部、２１Ｂ１……先端部、２１Ｂ２……液剤排出孔、２２……液剤案内孔、２３……ルアーロックコネクタ、２５Ａ、２５Ｂ……液剤案内孔、２６Ａ、２６Ｂ……液剤排出口、３１……毛包挿入用プローブ、３１Ａ……装着部、３１Ｂ……毛包挿入部、３１Ｃ……段差部、３１Ｂ１……先端部、３１Ｂ２……液剤付着部。
【図１】
0004673572.tif 000002
【図２】
0004673572.tif 000003
【図３】
0004673572.tif 000004
【図４】
0004673572.tif 000005
【図５】
0004673572.tif 000006
【図６】
0004673572.tif 000007
【図７】
0004673572.tif 000008
【図８】
0004673572.tif 000009
【図９】
0004673572.tif 000010
【図１０】
0004673572.tif 000011
【図１１】
0004673572.tif 000012
【図１２】
0004673572.tif 000013
【図１３】
0004673572.tif 000014